(57)【要約】【課題】簡単な構成でミストの粗さを調整することができる小型のミストサウナ装置及びミストサウナ機能付き浴室暖房乾燥機を提供すること。【解決手段】粗さの異なるミストを浴室１に噴霧するミストサウナ装置３１において、２種類の流体を混合して噴出する流体混合ノズル３２と、流体混合ノズル３２に接続され、流体混合ノズル３２にミスト用湯水を供給するミスト用湯水供給配管３４と、流体混合ノズル３２に接続され、流体混合ノズル３２に空気を供給する空気供給配管３６と、空気供給配管３６に接続し、流体混合ノズル３２に供給する空気の圧力を調整する空気圧調整手段３８と、空気圧調整手段３８を制御して流体混合ノズル３２に供給する空気の圧力を変えることにより、流体混合ノズル３２に粗さの異なるミストを発生させる制御手段４１とを有する。【選択図】図１
2014039738.tif 000002
【特許請求の範囲】
【請求項１】
粗さの異なるミストを浴室に噴霧するミストサウナ装置において、
２種類の流体を混合して噴出する流体混合ノズルと、
前記流体混合ノズルに接続され、前記流体混合ノズルにミスト用湯水を供給するミスト用湯水供給配管と、
前記流体混合ノズルに接続され、前記流体混合ノズルに空気を供給する空気供給配管と、
前記空気供給配管に接続し、前記流体混合ノズルに供給する前記空気の圧力を調整する空気圧調整手段と、
前記空気圧調整手段を制御して前記流体混合ノズルに供給する前記空気の圧力を変えることにより、前記流体混合ノズルに前記粗さの異なるミストを発生させる制御手段と、を有することを特徴とするミストサウナ装置。
【請求項２】
請求項１に記載するミストサウナ装置において、
前記流体混合ノズルは、前記ミスト用湯水供給配管から供給される前記ミスト用湯水を全量噴出して、前記ミストを発生することを特徴とするミストサウナ装置。
【請求項３】
請求項１又は請求項２に記載するミストサウナ装置において、
前記流体混合ノズルが発生する前記ミストの平均粒径が異なる複数のモードを切り替えるモード切替手段を有し、
前記制御手段は、前記複数のモード別に、前記空気圧調整手段に調整させる前記空気の圧力を記憶するモード記憶手段を有することを特徴とするミストサウナ装置。
【請求項４】
請求項３に記載するミストサウナ装置において、
前記複数のモードは、
前記流体混合ノズルが発生する前記ミストが、肌に当たることを感じさせる程度の平均粒径を有するスプラッシュミストモードと、
前記流体混合ノズルが発生する前記ミストが、肌に当たることを感じさせないが本を濡らす程度の平均粒径を有するシルキーミストモードと、
前記流体混合ノズルが発生する前記ミストが、肌に当たることを感じさせず、且つ、本を濡らさない程度の平均粒径を有するマイクロミストモードであることを特徴とするミストサウナ装置。
【請求項５】
請求項１又は請求項２に記載するミストサウナ装置において、
前記流体混合ノズルが発生する前記ミストの粒径を設定する粒径設定手段を有し、
前記制御手段は、前記ミストの粒径と前記空気圧調整手段に調整させる前記空気の圧力との関係を規定した粒径・圧力関係規定データを記憶していることを特徴とするミストサウナ装置。
【請求項６】
請求項１乃至請求項５の何れか一つに記載するミストサウナ装置を備えることを特徴とするミストサウナ機能付き浴室暖房乾燥機。
【発明の詳細な説明】
【技術分野】
【０００１】
本発明は、粗さの異なるミストを浴室に噴霧するミストサウナ装置及びミストサウナ機能付き浴室暖房乾燥機に関する。
【背景技術】
【０００２】
入浴には、体の疲れを癒したり、リラックスして気分を良くするなどの効果がある。ユーザが好む入浴方法は、季節、体調、気分などにより異なる。そのため、家庭のお風呂でも、ユーザの好みに合わせて入浴方法を変えられれば、毎日のバスタイムをより快適なものにすることができる。
【０００３】
近年、入浴方法の一つとして、保水性、発汗性、保温性、リラックス効果などに優れたミストサウナ入浴が注目されている。ミストサウナ入浴は、ミストサウナ装置から浴室内にミストを噴霧することにより浴室をミストサウナ状態にして行われる。ミストサウナ入浴では、ミストの粒径によって、ユーザが感じる心地良さが異なる。具体的には、例えば、平均粒径の大きい粗いミストの場合、ユーザはミストが肌に当たる際に心地よい刺激を受け、また、肌がしっとり濡れて体の芯から温まり、保温効果が持続するなどの効果が得られる。一方、例えば、平均粒径の小さい微細ミストの場合、ユーザは、浴室内や身体を濡らさずに十分に発汗するなどの効果が得られる。そのため、従来より、粗さの異なるミストを浴室に噴霧するミストサウナ装置が提案されている。
【０００４】
例えば、特許文献１に記載される浴室用ミスト発生システムは、平均粒径の大きい粗いミストを発生するためのミストノズルと、平均粒径の小さい微細ミストを発生するミスト発生機構を備える。
【０００５】
図１０は、特許文献２に記載されるミストサウナ装置２１１の断面図である。例えば、特許文献２に記載されるミストサウナ装置２１１は、ミストノズル２１２に接続する給水経路２１３に設けられたポンプ２１４の加圧量を変更することにより、ミストノズル２１２から噴霧するミストの粒径を変えている。ミストノズル２１２から噴霧されたミストは、送風機２１５から送られてくる空気に乗って、浴室２０１に拡散される。特許文献２に記載されるミストサウナ装置２１１は、制御手段２１６がポンプ２１４の加圧量に連動して送風機２１５の指向性を変更することにより、ポンプ２１４の加圧量を小さくした場合でも、ミストを浴室２０１内に拡散させて噴霧範囲を調整したり、ミストの流速を加速させたりできるようにしている。
【先行技術文献】
【特許文献】
【０００６】
【特許文献１】特開２００９−２８５１８３号公報
【特許文献２】特開２００８−２７９１８９号公報
【発明の概要】
【発明が解決しようとする課題】
【０００７】
しかしながら、特許文献１に記載される浴室用ミスト発生システムは、粒径の異なるミストを発生するためにミストノズルとミスト発生機構を備えるため、部品点数が多く、大型であった。
【０００８】
特許文献２に記載されるミストサウナ装置２１１は、ミストノズル２１２から発生するミストの粒径をポンプ２１４の加圧量により変えている。しかし、ミストの噴霧範囲や流速を調整するために送風機２１５を必要とする。送風機２１５が浴室暖房乾燥機と共用されるとしても、ユーザが選択するモードによって送風機２１５とポンプ２１４の動作を連動させるための制御が必要となる。よって、特許文献２に記載されるミストサウナ装置２１１は、制御手段２１６が粗さの異なるミストを発生させるのに送風機２１５とポンプ２１４の複雑な制御を必要とし、大型になっていた。
【０００９】
本発明は、上記問題点を解決するためになされたものであり、簡単な構成でミストの粗さを調整することができる小型のミストサウナ装置及びミストサウナ機能付き浴室暖房乾燥機を提供することを目的とする。
【課題を解決するための手段】
【００１０】
本発明の一態様は、次のような構成を有している。
（１）粗さの異なるミストを浴室に噴霧するミストサウナ装置において、２種類の流体を混合して噴出する流体混合ノズルと、前記流体混合ノズルに接続され、前記流体混合ノズルにミスト用湯水を供給するミスト用湯水供給配管と、前記流体混合ノズルに接続され、前記流体混合ノズルに空気を供給する空気供給配管と、前記空気供給配管に接続し、前記流体混合ノズルに供給する前記空気の圧力を調整する空気圧調整手段と、前記空気圧調整手段を制御して前記流体混合ノズルに供給する前記空気の圧力を変えることにより、前記流体混合ノズルに前記粗さの異なるミストを発生させる制御手段と、を有する。
【００１１】
（２）（１）に記載の構成において、好ましくは、前記流体混合ノズルは、前記ミスト用湯水供給配管から供給される前記ミスト用湯水を全量噴出して、前記ミストを発生する。
【００１２】
（３）（１）又は（２）に記載の構成において、好ましくは、前記流体混合ノズルが発生する前記ミストの平均粒径が異なる複数のモードを切り替えるモード切替手段を有し、前記制御手段は、前記複数のモード別に、前記空気圧調整手段に調整させる前記空気の圧力を記憶するモード記憶手段を有する。
【００１３】
（４）（３）に記載する構成において、前記複数のモードは、前記流体混合ノズルが発生する前記ミストが、肌に当たることを感じさせる程度の平均粒径を有するスプラッシュミストモードと、前記流体混合ノズルが発生する前記ミストが、肌に当たることを感じさせないが本を濡らす程度の平均粒径を有するシルキーミストモードと、前記流体混合ノズルが発生する前記ミストが、肌に当たることを感じさせず、且つ、本を濡らさない程度の平均粒径を有するマイクロミストモードである。
【００１４】
（５）（１）又は（２）に記載する構成において、前記流体混合ノズルが発生する前記ミストの粒径を設定する粒径設定手段を有し、前記制御手段は、前記ミストの粒径と前記空気圧調整手段に調整させる前記空気の圧力との関係を規定した粒径・圧力関係規定データを記憶している。
【００１５】
（６）（１）乃至（５）の何れか一つに記載するミストサウナ装置を備えるミストサウナ機能付き浴室暖房乾燥機である。
【発明の効果】
【００１６】
上記構成のミストサウナ装置は、粗さの異なるミストを浴室に噴霧するミストサウナ装置において、２種類の流体を混合して噴出する流体混合ノズルと、流体混合ノズルに接続され、流体混合ノズルにミスト用湯水を供給するミスト用湯水供給配管と、流体混合ノズルに接続され、流体混合ノズルに空気を供給する空気供給配管と、空気供給配管に接続し、流体混合ノズルに供給する空気の圧力を調整する空気圧調整手段と、空気圧調整手段
を制御して流体混合ノズルに供給する空気の圧力を変えることにより、流体混合ノズルに粗さの異なるミストを発生させる制御手段とを有するので、空気圧調整手段が空気供給配管から流体混合ノズルに供給する空気の圧力を調整するのを制御手段が制御すれば、１つの流体混合ノズルから粗さの異なるミストを発生することが可能である。そして、ミスト用湯水を所定圧の空気に混合させてミストを発生するので、送風機を特に設けなくても、ミストを拡散させることができる。よって、上記構成のミストサウナ装置によれば、簡単な構成でミストの粗さを調整することができ、装置サイズを小型にできる。
【００１７】
また、上記構成のミストサウナ装置は、流体混合ノズルが、ミスト用湯水供給配管から供給されるミスト用湯水を全量噴出して、ミストを発生するので、ミストにならなかったミスト用湯水を排水するための専用排水設備を設ける排水工事、及び、排水設備施工に関する費用を省くことができる。
【００１８】
また、上記構成のミストサウナ装置は、流体混合ノズルが発生するミストの平均粒径が異なる複数のモードを切り替えるモード切替手段を有し、制御手段は、複数のモード別に、空気圧調整手段に調整させる空気の圧力を記憶するモード記憶手段を有するので、モード切替手段に設定されたモードに応じて空気圧調整手段が調整すべき空気の圧力を迅速に求めることができる。
【００１９】
また、上記構成のミストサウナ装置は、複数のモードは、流体混合ノズルが発生するミストが、肌に当たることを感じさせる程度の平均粒径を有するスプラッシュミストモードと、流体混合ノズルが発生するミストが、肌に当たることを感じさせないが本を濡らす程度の平均粒径を有するシルキーミストモードと、流体混合ノズルが発生するミストが、肌に当たることを感じさせず、且つ、本を濡らさない程度の平均粒径を有するマイクロミストモードであるので、ユーザは、気温や体調、気分などに合わせて、ミストサウナ入浴のパターンを簡単に変えることができる。
【００２０】
また、上記構成のミストサウナ装置は、流体混合ノズルが発生するミストの粒径を設定する粒径設定手段を有し、制御手段は、ミストの粒径と空気圧調整手段に調整させる空気の圧力との関係を規定した粒径・圧力関係規定データを記憶しているので、空気圧調整手段が、粒径設定手段に任意に設定されたミストの粒径に応じて調整すべき空気の圧力を迅速に求めることができる。また、ユーザの感覚に合わせてミストの粒径を無段階で変えることができるので、ユーザが求めるミストサウナ入浴を実現しやすい。
【００２１】
また、上記構成のミストサウナ機能付き浴室暖房乾燥機は、上記構成のミストサウナ装置を備えるので、ミストサウナ機能が付加されても装置サイズの大型化を抑制できる。
【図面の簡単な説明】
【００２２】
【図１】本発明の実施形態に係るミストサウナ機能付き浴室暖房乾燥機の概略構成を示す図である。
【図２】流体混合ノズルの概略構成を示す断面図である。
【図３】室温２０℃の環境下において、図２に示すミストノズルに水道水の供給配管を接続した場合における空気圧力とミスト平均粒径推定値との関係を示す図である。縦軸にミスト平均粒径推定値（μｍ）を示し、横軸に空気圧力（ｋＰａ）を示す。
【図４】室温２０℃下において流体混合ノズルからミストを噴出する場合の水の圧力・流量と、空気の圧力・流量と、感応試験結果と、ミストの平均粒径推定値との関係を示す図である。
【図５】リモコンの正面図であって、機能選択画面を示す。
【図６】リモコンの正面図であって、モード選択画面を示す。
【図７】制御手段のブロック図である。
【図８】室温２０℃下における空気圧力設定テーブルの一例を示す図である。
【図９】図１に示す浴室暖房乾燥機が設置された浴室の一例を示す図である。
【図１０】特許文献２に記載されるミストサウナ装置の断面図である。
【発明を実施するための形態】
【００２３】
以下に、本発明に係る好ましい実施形態について、図面を参照して説明する。
【００２４】
＜浴室暖房乾燥機の設置例＞
図９は、本発明の実施形態に係るミストサウナ機能付き浴室暖房乾燥機１１が設置された浴室１の一例を示す図である。浴室暖房乾燥機１１は、浴室１の天井２に取り付けられる、浴室暖房乾燥機１１は、浴室１を乾燥させる乾燥機能、浴室１を温める暖房機能、浴室１の換気を行う換気機能、浴室１をミストサウナ状態にするミストサウナ機能などを有する。ユーザは、浴室１の壁面３やキッチンなどに設けられたリモコン（モード切替手段の一例）１２を介して浴室暖房乾燥機１１の機能を選択し、体調や気温、気分等に合わせて入浴方法を設定することができる。
【００２５】
＜浴室暖房乾燥機の構成＞
図１は、浴室暖房乾燥機１１の概略構成を示す図である。浴室暖房乾燥機１１は、本体ケース２０内に、送風機１３と換気扇１９とミストサウナ装置３１が設けられている。
【００２６】
浴室暖房乾燥機１１は、浴室用熱媒体循環配管２２を介して浴室用熱交換器１５と図示しない熱源機が接続され、熱源機で加熱された熱媒体（例えば温水等）を浴室用熱交換器１５に循環させて浴室用熱交換器１５が加熱されるようになっている。浴室用熱媒体循環配管２２には、浴室用熱媒体制御弁２６が配設され、浴室用熱交換器１５への熱媒体の循環が制御されている。浴室１の暖房を行う場合、浴室用熱媒体制御弁２６を開くことにより、浴室用熱交換器１５に熱媒体を循環させて浴室用熱交換器１５を予熱する。浴室用熱交換器１５の予熱が終了すると、送風機１３が駆動する。すると、浴室１の空気が吸込口１４から本体ケース２０内へ吸い込まれ、浴室用熱交換器１５で温められた後、通風路１６を通って送風口１７から浴室１へ送り出され、浴室１の室温を上昇させる。浴室暖房乾燥機１１は、浴室１の室温が設定温度に達すると、その温度を維持するように温風を浴室１内へ送る。
【００２７】
また、浴室暖房乾燥機１１は、浴室１の乾燥を行う場合には、換気扇１９を駆動させ、浴室１の空気を排気口１８から本体ケース２０内に吸い込み、排気配管２１へ排出する。
【００２８】
＜ミストサウナ装置の構成＞
ミストサウナ装置３１は、ミスト用熱交換器３３により温度調整されたミスト用湯水を所定圧の空気と混合させて流体混合ノズル３２から噴出することにより、ミストを発生させるように構成されている。流体混合ノズル３２は、それ自体でも空気の圧力でミストを拡散させることができるが、更に、浴室１の隅までミストを拡散させることができるように、送風口１７の近傍に配置されている。ミストサウナ装置３１は、流体混合ノズル３２に供給する空気の圧力を変更することにより、流体混合ノズル３２が粗さの異なるミストを発生するようになっている。
【００２９】
ミスト用熱交換器３３には、給水配管２４と、ミスト用熱媒体循環配管２３と、ミスト用湯水供給配管３４が接続されている。給水配管２４は、水道管の水圧で水道水をミスト用熱交換器３３に供給する配管である。ミスト用熱媒体循環配管２３は、浴室用熱媒体循環配管２２から分岐して、ミスト用熱交換器３３に接続されている。ミスト用熱媒体循環配管２３は、図示しない熱源機で加熱された熱媒体をミスト用熱交換器３３に供給することによりミスト用熱交換器３３を加熱し、ミスト用熱交換器３３で熱回収された熱媒体を浴室用熱媒体循環配管２２を介して図示しない熱源機へ送り返すための配管である。ミスト用熱媒体循環配管２３には、ミスト用熱媒体制御弁２７が配設され、ミスト用熱交換器３３への熱媒体の循環が制御されている。ミスト用湯水供給配管３４は、ミスト用熱交換器３３と流体混合ノズル３２を接続し、ミスト用熱交換器３３で温度調整されたミスト用湯水を流体混合ノズル３２へ供給する配管である。ミスト用湯水供給配管３４には、ミスト用電磁弁３５が配設され、流体混合ノズル３２へのミスト用湯水の供給を制御している。
【００３０】
空気供給配管３６は、流体混合ノズル３２に接続され、流体混合ノズル３２に空気を供給する配管である。空気供給配管３６には、給気配管２５から空気圧供給配管３６を介して流体混合ノズル３２に供給される空気を所定圧に調整するコンプレッサ（空気圧調整手段の一例）３８が接続されている。コンプレッサ３８の上流側には、給気用比例弁３７が配設され、コンプレッサ３８へ供給する空気の圧力を制御している。尚、例えば、ブロワのように空気を所定圧に制御できるものであれば、コンプレッサ３８に代替させることが可能である。
【００３１】
＜ミストノズルの概略構成＞
流体混合ノズル３２は、気体と液体を混合して噴出する周知の流体混合ノズルにより構成されている。流体混合ノズルは、例えば、特開２００２−１２６５８５号公報に記載されるものや、特開２０１１−９８２８４号公報に記載されるものや、特開２０１１−６２５８３号公報に記載されるもの等が知られている。
【００３２】
図２は、流体混合ノズル３２の概略構成を示す断面図である。流体混合ノズル３２は、気体を供給する気体供給部３２１と、この気体供給部３２１から気体を気体噴射部の気体オリフィス３２３に流通する気体供給通路３２２と、液体を液体噴射部の流体オリフィス３２５に流通する流体流通部３２４とを有し、気体オリフィス３２３の内部に流体オリフィス３２５が配置されている。流体混合ノズル３２は、気体供給部３２１に空気供給配管３６が接続され、流体流通部３２４にミスト用湯水供給配管３４が接続される。
【００３３】
図３は、室温２０℃の環境下において、図２に示す流体混合ノズル３２に水道水の供給配管を接続した場合における空気圧力とミスト平均粒径推定値との関係を示す図である。縦軸にミスト平均粒径推定値（μｍ）を示し、横軸に空気圧力（ｋＰａ）を示す。流体混合ノズル３２は、空気を供給されない場合（空気圧力が０ｋＰａの場合）、噴出するミストの平均粒径が１００μｍであると推定される。また、流体混合ノズル３２は、３４ｋＰａの空気を供給された場合、噴出するミストの平均粒径が１０μｍであり、６６ｋＰａの空気を供給された場合、ミストの平均粒径が１μｍであると推定される。このように、流体混合ノズル３２は、供給される空気が高圧である程、ミストの平均粒径が小さくなると考えられる。
【００３４】
流体混合ノズル３２は、気体オリフィス３２３から噴出される空気の中心部に向けて、流体オリフィス３２５から水道水を噴出する。水道水は、流体オリフィス３２５から噴霧される際に細かい粒状になり、更に、気体オリフィス３２３から噴出される空気の勢いで微細化される。そのため、流体混合ノズル３２は、供給される空気の圧力が高い程、平均粒径の小さいミストを発生することが可能である。そして、流体混合ノズル３２は、微細化したミストが流体オリフィス３２３から噴出する空気に乗って散らばり、拡散する。
【００３５】
図４は、室温２０℃下において流体混合ノズル３２からミストを噴出する場合の水の圧力・流量と、空気の圧力・流量と、感応試験結果と、ミストの平均粒径推定値との関係を示す図である。発明者らは、更に、流体混合ノズル３２から噴出される水の圧力と流量を測定するセンサと、流体混合ノズル３２から噴出される空気の圧力と流量を測定するセンサを流体混合ノズル３２の上流側に取り付け、実験装置を作った。そして、室温２０℃の環境下で、水道管の水圧で水道水を流体混合ノズル３２の流体流通部３２４に供給し、その水道水の圧力を制御せずに、流体混合ノズル３２に供給する空気の圧力のみを変えて、流体混合ノズル３２からミストを噴出させた。
【００３６】
その結果、空気を流体混合ノズル３２に供給しない場合（空気の圧力が０ｋＰａ、流量が０ｌ／ｍｉｎの場合）、水道水の圧力は０．０９ＭＰａ、水道水の流量は４７．５ｍｌ／ｍｉｎであった。感応試験結果は、ミストが肌に当たることを感じるというものであった。このときのミストの平均粒径は１０μｍより大きく１００μｍ以下になると推定される。
【００３７】
空気の圧力を３４ｋＰａに制御した場合、水道水の圧力は０．０５ＭＰａ、水道水の流量は４０．０ｍｌ／ｍｉｎ、空気の流量は１．８ｌ／ｍｉｎであった。感応試験結果は、ミストが肌に当たることを感じないが、本が濡れるというものであった。このときのミストの平均粒径は１μｍより大きく１０μｍ以下になると推定される。
【００３８】
空気の圧力を６６ｋＰａに制御した場合、水道水の圧力は０．０６ＭＰａ、水道水の流量は３１．７ｍｌ／ｍｉｎ、空気の流量は４．８ｌ／ｍｉｎ、であった。感応試験結果は、ミストが肌に当たることを感じず、且つ、本が濡れないというものであった。このときのミストの平均粒径は１μｍ以下になると推定される。
【００３９】
流体混合ノズル３２は、空気の圧力がなくても、１０μより大きく１００μｍ以下のミストを噴出すると推定される。また、流体混合ノズル３２は、空気を供給されない状態（空気圧力が０ｋＰａの場合）から３４ｋＰａに増加させると、空気の流量は０ｌ／ｍｉｎから１．８ｌ／ｍｉｎと約２倍に増えるが、水道水の圧力は０．０９ＭＰａから０．０５ＭＰａとほぼ半減し、水道水の流量が４７．５ｍｌ／ｍｉｎから４０．０ｍｌ／ｍｉｎと約１５％減少する。また、流体混合ノズル３２は、空気の圧力を３４ｋＰａから６６ｋＰａに約２倍増加させると、空気の流量が１．８ｌ／ｍｉｎから４．８ｌ／ｍｉｎと約３倍に増えるが、水道水の圧力は０．０５ＭＰａから０．０６ＭＰａと僅かに増え、水道水の流量が４０．０ｍｌ／ｍｉｎから３１．７ｍｌ／ｍｉｎと約２０％減少する。
【００４０】
このように、流体混合ノズル３２は、気体オリフィス３２３の大きさが決まっているため、空気の圧力増加に伴って水道水の流量が減少する。しかし、流体混合ノズル３２は、空気の圧力・流量の増加幅に比べて水道水の流量の減少幅が小さい。そのため、流体混合ノズル３２は、供給される空気の圧力が変動しても、ミストの噴出量をあまり変えずに、ミストの平均粒径を変えることができると考えられる。
【００４１】
よって、ミストサウナ装置３１は、流体混合ノズル３２を使用することにより、ミスト用湯水の圧力を制御せずに、流体混合ノズル３２に供給する空気の圧力のみを制御すれば、ミストの噴霧量をあまり変えずに、ミストの平均粒径を変えることができる。
【００４２】
ところで、流体混合ノズル３２は、供給される空気の圧力が０ｋＰａ以上１００ｋＰａ以下、好ましくは、０ｋＰａ以上８０ｋＰａ以下、更に好ましくは０ｋＰａ以上７０ｋＰａ以下の低圧な範囲で制御されることにより、ミストの平均粒径を変えることができる。一方、ミストサウナ装置３１がミストの粗さを変えるのは、ミストサウナ入浴時にユーザに与える効果に変化を付けるためである。人間の感度は、精密機械等に比べて劣っている。そのため、ミストサウナ装置３１が発生するミストの平均粒径は、車の塗装等のように厳密に管理する必要がない。よって、流体混合ノズル３２に供給する空気の圧力を調整するコンプレッサ３８には、市販の小型コンプレッサを使用でき、ミストサウナ装置３１の小型化に寄与している。本実施形態では、プラモデルに塗料を吹き付ける際に使用するホビー用の小型コンプレッサを、コンプレッサ３８に適用している。
【００４３】
上記浴室暖房乾燥機１１及びミストサウナ装置３１は、図５及び図６に示すリモコン１２の操作に従い、図１に示す制御手段４１により動作を制御される。
【００４４】
＜リモコンの構成＞
図５及び図６は、リモコンの正面図である。リモコン１２は、リモコン本体１２ｈに、液晶表示画面１２ａと、リモコン電源ＯＮ／ＯＦＦスイッチ１２ｂと、決定操作ボタン１２ｃと、上操作ボタン１２ｄと、下操作ボタン１２ｅを、左操作ボタン１２ｆと、右操作ボタン１２ｇが設けられている。液晶表示画面１２ａには、操作ボタン１２ｃ〜１２ｇの操作内容や、浴室暖房乾燥機１１の設定内容などが表示される。ユーザは、操作ボタン１２ｃ〜１２ｇを操作することにより、浴室暖房乾燥機１１の機能を選択したり、室温や湯温等の設定・変更を行ったりすることができる。また、ユーザは、操作ボタン１２ｃ〜１２ｇを操作することにより、流体混合ノズル３２が発生するミストの平均粒径が異なる複数のモードを切り替えることができる。本実施形態では、複数のモードは、流体混合ノズル３２が発生するミストが、肌に当たることを感じさせる程度の平均粒径を有するスプラッシュミストモードと、流体混合ノズル３２が発生するミストが、肌に当たることを感じさせないが本を濡らす程度の平均粒径を有するシルキーミストモードと、流体混合ノズル３２が発生するミストが、肌に当たることを感じさせず、且つ、本を濡らさない程度の平均粒径を有するマイクロミストモードとしている。
【００４５】
＜制御手段のブロック構成＞
図７は、制御手段４１のブロック図である。制御手段４１は、周知のマイクロコンピュータであって、データの加工・演算を行う中央演算処理装置（ＣＰＵ）４２、データやプログラムを記憶するメモリ４３、データの入出力を制御する入出力インターフェース４４などを備える。
【００４６】
入出力インターフェース４４には、リモコン１２、送風機１３、換気扇１９、浴室用熱媒体制御弁２６、ミスト用熱媒体制御弁２７、ミスト用電磁弁３５、給気用比例弁３７、コンプレッサ３８などが、電気信号を送受信可能に接続されている。
【００４７】
メモリ４３には、モード記憶手段４５の格納領域が設けられている。モード記憶手段４５には、モード別にコンプレッサ３８に調整させる空気の圧力を記憶する空気圧力設定テーブルが記憶されている。空気圧力設定テーブルは、浴室１の室温別に設けられている。これは、浴室１の室温が高いほど、流体混合ノズル３２から噴霧するミストの平均粒径が細かくなるからである。換言すると、ミスト用湯水と空気の圧力が一定でも、浴室１の室温によって、流体混合ノズル３２から噴霧されるミストの平均粒径が異なるからである。
【００４８】
図８は、室温２０℃下における空気圧力設定テーブルの一例を示す図である。浴室１の室温が２０℃の場合において、ユーザがリモコン１２にスプラッシュミストモードを設定すると、流体混合ノズル３２に空気を供給しない（空気圧力は０ｋＰａとする）。浴室１の室温が２０℃の場合において、ユーザがリモコン１２にシルキーミストモードを設定すると、流体混合ノズル３２に供給する空気の圧力が３４ｋＰａに設定される。浴室１の室温が２０℃の場合において、ユーザがリモコン１２にマイクロミストモードを設定すると、流体混合ノズル３２に供給する空気の圧力が６６ｋＰａに設定される。
【００４９】
＜動作説明＞
続いて、浴室暖房乾燥機１１の動作を説明する。ユーザは、図５に示すように、リモコン１２の液晶表示画面１２ａを見ながら操作ボタン１２ｃ〜１２ｇを操作し、ミストサウナ機能を選択する。そして、ユーザは、図６に示すように、操作ボタン１２ｃ〜１２ｇを操作し、モードを切り替える。
【００５０】
制御手段４１は、ミストサウナ機能のモードが設定されると、浴室用熱媒体制御弁２６とミスト用熱媒体制御弁２７を弁閉状態から弁開状態に切り換える。これにより、浴室用熱交換器１５とミスト用熱交換器３３は、熱媒体が循環し、予熱される。制御手段４１は、浴室用熱交換器１５とミスト用熱交換器３３の予熱が完了すると、送風機１３を駆動する。すると、浴室暖房乾燥機１１は、吸込口１４から浴室１の空気を吸い込んで浴室用熱交換器１５で温め、送風口１７から浴室１へ送り出す。これにより、浴室１の室温が上昇する。
【００５１】
制御手段４１は、浴室１の温度とリモコン１２で設定されたモードを引数としてモード記憶手段４５から空気の圧力を読み出し、読み出した空気の圧力となるように給気用比例弁３７とコンプレッサ３８の動作を制御すると共に、ミスト用電磁弁３５を開いてミスト用湯水を流体混合ノズル３２に供給する。
【００５２】
具体的には、ユーザがリモコン１２にスプラッシュミストモードを設定した場合には、制御手段４１は、例えば浴室１の温度が２０℃のとき、図８に示す空気圧力設定テーブルに基づいて、スプラッシュミストモードに対応する空気の圧力が０ｋＰａであることを求める。そして、制御手段４１は、給気用比例弁３７を弁閉状態、コンプレッサ３８を駆動しない状態で、ミスト用電磁弁３５を弁閉状態から弁開状態に切り換える。流体混合ノズル３２は、ミスト用熱交換器３３で設定温度に調整されたミスト用湯水のみを流体オリフィス３２５から気体オリフィス３２３を介して浴室１へ噴出する。ミスト用湯水は、流体オリフィス３２５で加速された流速のみで噴出されるため、平均粒径が１０μｍより大きく１００μｍ以下の粗いミストとなり、浴室１に拡散する。ユーザは、スプラッシュミストモード下で入浴すると、ミストが肌に落ちる際に刺激を受け、心地よいマッサージ効果が得られると共に、体がしっかり濡れて、芯から温められる。
【００５３】
ユーザがリモコン１２にシルキーミストモードを設定した場合には、制御手段４１は、例えば浴室１の温度が２０℃の場合、図８に示す空気圧力設定テーブルに基づいて、シルキーミストモードに対応する空気の圧力が３４ｋＰａであることを求める。制御手段４１は、ミスト用電磁弁３５と給気用比例弁３７を弁閉状態から弁開状態に切り換えると共に、給気配管２５からコンプレッサ３８に供給される空気を３４ｋＰａに加圧するように、コンプレッサ３８を駆動する。流体混合ノズル３２は、ミスト用熱交換器３３で設定温度に調整されたミスト用湯水を、コンプレッサ３８で３４ｋＰａに加圧された空気と共に噴出する。ミスト用湯水は、空気の気流に巻き込まれて微小化し、平均粒径が１μｍより大きく１０μｍ以下の細かいミストとなり、靄がかかったように浴室１に拡散する。ユーザは、シルキーミストモード下で入浴すると、スプラッシュミストモードより低刺激のマッサージ効果が得られると共に、体がしっとり濡れて、保湿効果が得られる。
【００５４】
ユーザがリモコン１２にマイクロミストモードを設定した場合には、制御手段４１は、例えば浴室１の温度が２０℃の場合、図８に示す空気圧力設定テーブルに基づいて、マイクロミストモードに対応する空気の圧力が６６ｋＰａであることを求める。制御手段４１は、ミスト用電磁弁３５と給気用比例弁３７を弁閉状態から弁開状態に切り換えると共に、給気配管２５からコンプレッサ３８に供給される空気を６６ｋＰａに加圧するように、コンプレッサ３８を駆動する。流体混合ノズル３２は、ミスト用熱交換器３３で設定温度に調整されたミスト用湯水を、コンプレッサ３８で６６ｋＰａに加圧された空気と共に噴出する。空気の圧力がシルキーミストモードの圧力より高圧であるため、ミスト用湯水はシルキーミストモードより勢いよく気体オリフィス３２３から噴出される気体内に噴出されて細分化し、平均粒径が１μｍ以下の微小なマイクロミストとなる。マイクロミストは、送風口１７から送り出される温風に乗って、浴室１全体にふわふわと拡散する。こ
のとき、ミストが細かいため、ユーザの視界は良好である。ユーザは、マイクロミスト
モード下で入浴すると、浴室１や身体を濡らさずに発汗が促され、浴室１で読書などをしてリラックスしながら入浴できる。
【００５５】
制御手段４１は、リモコン１２の操作やミストサウナ入浴設定時間の経過などによりミストサウナ機能が終了すると、浴室用熱媒体制御弁２６とミスト用熱媒体制御弁２７を弁開状態から弁閉状態に切り換え、浴室用熱交換器１５とミスト用熱交換器３３の加熱を終了する。そして、ミスト用電磁弁３５と給気用比例弁３７を弁閉状態にし、コンプレッサ３８を停止することにより、ミストの噴出を終了する。そして、送風機１３を停止させ、温風の送り出しを終了する。
【００５６】
ここで、ミストサウナ入浴におけるミストの役割は、保水効果、保湿効果、発汗効果、マッサージ効果などを得ることにある。そのため、ミストの平均粒径は、車の塗装装置よりもばらついていても良い。よって、ミストサウナ装置３１の制御手段４１は、流体混合ノズル３２に供給されるミスト用湯水や空気の圧力をセンサで検知してフィードバック制御することは行わず、コンプレッサ３８の動作を制御して空気の圧力を変更するだけで、ミストの平均粒径を変えている。
【００５７】
尚、上記説明では、浴室１を暖房する場合について説明したが、浴室１を暖房せずに室温のままミストサウナ入浴する場合には、浴室用熱媒体制御弁２６を弁閉状態にしたまま、ミスト用熱媒体制御弁２７とミスト用電磁弁３５と給気用比例弁３７を弁閉状態から弁開状態に切り換え、コンプレッサ３８を駆動し、流体混合ノズル３２からミストを噴霧するようにすれば良い。
【００５８】
また、水道水を加熱せずにミスト化してミストサウナ入浴する場合には、ミスト用熱媒体制御弁２７を弁閉状態にしたまま、給水配管２４の水道水をミスト用電磁弁３５を介して流体混合ノズル３２に供給するようにすればよい。
【００５９】
＜作用効果＞
以上説明したように、本実施形態のミストサウナ装置３１は、粗さの異なるミストを浴室１に噴霧するミストサウナ装置３１において、２種類の流体を混合して噴出する流体混合ノズル３２と、流体混合ノズル３２に接続され、流体混合ノズル３２にミスト用湯水を供給するミスト用湯水供給配管３４と、流体混合ノズル３２に接続され、流体混合ノズル３２に空気を供給する空気供給配管３６と、空気供給配管３６に接続し、流体混合ノズル３２に供給する空気の圧力を調整するコンプレッサ（空気圧調整手段の一例）３８と、コンプレッサ３８を制御して流体混合ノズル３２に供給する空気の圧力を変えることにより、流体混合ノズル３２に粗さの異なるミストを発生させる制御手段４１とを有するので、コンプレッサ３８が空気供給配管３６から流体混合ノズル３２に供給する空気の圧力を調整するのを制御手段４１が制御すれば、１つの流体混合ノズル３２から粗さの異なるミストを発生することが可能である。そして、ミスト用湯水を所定圧の空気に混合させてミストを発生するので、図１０に示す従来のミストサウナ装置２１１のように送風機２１５を特に設けなくても、ミストを浴室１に拡散させることができる。よって、上記構成のミストサウナ装置３１によれば、簡単な構成でミストの粗さを調整することができ、装置サイズを小型にできる。
【００６０】
また、上記構成のミストサウナ装置３１は、流体混合ノズル３２が、ミスト用湯水供給配管３４から供給されるミスト用湯水を全量噴出して、ミストを発生するので、ミストにならなかったミスト用湯水を排水するための専用排水設備を設ける排水工事、及び、排水設備施工に関する費用を省くことができる。
【００６１】
また、上記構成のミストサウナ装置３１は、流体混合ノズル３２が発生するミストの平均粒径が異なる複数のモードを切り替えるリモコン（モード切替手段）１２を有し、制御手段４１は、複数のモード別に、コンプレッサ３８に調整させる空気の圧力を記憶するモード記憶手段４５を有するので、リモコン１２に設定されたモードに応じてコンプレッサ３８が調整すべき空気の圧力を迅速に求めることができる。
【００６２】
また、上記構成のミストサウナ装置３１は、複数のモードは、流体混合ノズル３２が発生するミストが、肌に当たることを感じさせる程度の平均粒径を有するスプラッシュミストモードと、流体混合ノズル３２が発生するミストが、肌に当たることを感じさせないが本を濡らす程度の平均粒径を有するシルキーミストモードと、流体混合ノズル３２が発生するミストが、肌に当たることを感じさせず、且つ、本を濡らさない程度の平均粒径を有するマイクロミストモードであるので、ユーザは、気温や体調、気分などに合わせて、ミストサウナ入浴のパターンを簡単に変えることができる。
【００６３】
また、上記構成のミストサウナ機能付き浴室暖房乾燥機１１は、上記構成のミストサウナ装置３１を備えるので、ミストサウナ機能が付加されても装置サイズの大型化を抑制できる。
【００６４】
尚、本発明は、上記実施形態に限定されることなく、色々な応用が可能である。
【００６５】
（１）例えば、上記実施形態では、ミストサウナ装置３１を浴室暖房乾燥機１１に組み込んだが、ミストサウナ装置３１を単独で浴室１に組み付けるようにしても良い。この場合、ミストサウナ装置３１は、浴室１の天井２や浴室１の壁面３に、後付けできるようにすると良い。浴室１の壁面３にミストサウナ装置３１を後付けする場合には、例えば、椅子に腰掛けたユーザが手を上げて届く位の高さにミストサウナ装置３１を取り付け、ミストサウナ装置３１がユーザに降りかけるようにミストを発生するようにすると良い。なぜなら、天井２に設置する場合よりも短い距離でミストをユーザに吹きかけ、ミストサウナ入浴の保温性、保湿性、発汗性、リラックス効果などの効能を高めることができるからである。
【００６６】
（２）例えば、上記実施形態では、リモコン１２に設定されたモードに従って空気の圧力を段階的に制御した。これに対して、流体混合ノズルが発生するミストの平均粒径をリモコン１２に設定し、制御手段４１がミストの粒径とコンプレッサに調整させる空気の圧力との関係を規定した粒径・圧力関係規定データを記憶していると良い。粒径・圧力関係規定データは、例えば、室温別に設けた図３に示すデータにより構成すると良い。この場合、制御手段４１は、ユーザがリモコン１２にミストの平均粒径を任意に設定すると、粒径・圧力関係規定データから空気の圧力を迅速に読み出し、コンプレッサ３８を制御する。これによれば、リモコン１２に任意に設定されたミストの粒径に応じて空気の圧力を迅速に求めることができる。また、ユーザの感覚に合わせてミストの粒径を無段階で変えることができるので、ユーザが求めるミストサウナ入浴を実現しやすい。
【００６７】
（３）上記実施形態では、ミストの平均粒径を固定したモードを複数設けたが、ミストの平均粒径を自動的に変化させるモードを設定できるようにしても良い。この場合、ミストがユーザに当たる際の刺激に変化を与え、より高いマッサージ効果を得ることができる。
【００６８】
（４）上記実施形態では、複数のモードをスプラッシュモードとシルキーモードとマイクロミストモードの３種類としたが、２種類又は４種類以上のモードとしても良い。
【００６９】
（５）上記実施形態では、感応によりモードの切り分けを行ったが、例えばミストの平均粒径など別基準でモードを切り分けても良い。
【００７０】
（６）上記実施形態では、ミスト用湯水の圧力を制御せずに、コンプレッサ３８のみを制御して流体混合ノズル３２に供給する空気の圧力を変えることにより、流体混合ノズル３２に粗さの異なるミストを発生させる制御手段４１を設けた。これに対して、制御手段４１は、ミスト用湯水と空気の圧力を両方制御することにより流体混合ノズル３２に粗さの異なるミストを発生させるようにしても良い。
【００７１】
（７）上記実施形態では、気体と流体を混合して噴出するノズルを流体混合ノズル３２としたが、ミスト用湯水をミスト化して噴出可能であれば、気体と気体、又は、液体と液体を混合して噴出するノズルを流体混合ノズル３２に適用しても良い。
【符号の説明】
【００７２】
１２  リモコン（モード切替手段、粒径設定手段の一例）
１３  送風機
３１  ミストサウナ装置
３２  流体混合ノズル
３４  ミスト用湯水供給配管
３６  空気供給配管
３８  コンプレッサ（空気圧調整手段の一例）
４１  制御手段
４５  モード記憶手段
【図１】
2014039738.tif 000003
【図２】
2014039738.tif 000004
【図３】
2014039738.tif 000005
【図４】
2014039738.tif 000006
【図５】
2014039738.tif 000007
【図６】
2014039738.tif 000008
【図７】
2014039738.tif 000009
【図８】
2014039738.tif 000010
【図９】
2014039738.tif 000011
【図１０】
2014039738.tif 000012